(57)【要約】      （修正有）【課題】防護柵の外側に障害となる物を設けて、イノシシ、鹿等による体当たり、噛み付き、跳び越え、くぐり抜け等の破壊、侵入を防止する防護柵を提供する。【解決手段】直立型防護網１の支柱の中間位置の高さに、傾斜型防護網２の傾斜支柱４の上端を緊結、固定し、二つの防護網を一体とした二重式防護柵３とする。網糸の太さ３．０〜５．０ｍｍ、網の大きさ８０．０〜１２０．０ｍｍ方形の網目を備えた傾斜型防護網２を、直立型防護網１の支柱の中間高さ位置から外側へ、地面より浮かせて斜めに張る。傾斜型防護網２の下端部は高さ２０．０〜３０．０ｃｍの直立型とし、この網を支える傾斜支柱４の下端部は地中に挿入したうえで、補強杭６と緊結、固定する。【選択図】図１
0003165867.tif 000002
【実用新案登録請求の範囲】
【請求項１】
直立型防護網１と、この防護網の中間高さ位置から外側の地面に向けて斜めに下がる傾斜型防護網２の傾斜支柱４を傾斜支柱の上端部で緊結し、一方、下端を地中に挿入して補強杭６と緊結、固定した防護柵。
【請求項２】
傾斜型防護網２の網の材質は樹脂系繊維の３．０〜５．０ｍｍ径を用い、網目の大きさは８０．０〜１２０．０ｍｍ方形とし、これを地面より浮かせて斜めに張り、網の下端を高さ２０〜３０ｃｍの直立型とし、網の奥を地上高８０〜１００ｃｍ位で固定したことを特徴とする請求項１記載の防護柵。
【考案の詳細な説明】
【技術分野】
【０００１】  本考案は、農作物をイノシシ、鹿等の食害から防護するために用いられるイノシシ、鹿等防護柵に関する。
【背景技術】
【０００２】イノシシ、鹿等の侵入を防ぐ為の防護柵は各地で設置されてきたが、イノシシ、鹿による跳び越え、くぐりぬけ等の侵入、或いは体当たり、噛み付き等、破壊に対する網、支柱等の強度不足の問題があり、農家は多大な損害を受けてきた。（先行技術文献参照）
【先行技術文献】
【特許文献】
【０００３】
【特許文献１】  特開平０６−２７６９１１号公報
【考案の概要】
【考案が解決しようとする課題】
【０００４】  現状は防護柵を設置してもイノシシ、鹿等による跳び越え、くぐり抜けによる侵入、また体当たり、噛み付き等による破壊を受けて防護柵が役に立たない例が非常に多い。
そこでこれら動物の侵入、攻撃を防ぐ為に、防護柵の外側に障害となる物を設け動物の侵入、攻撃を防ぐと共に、防護柵を強化して破壊、破損を受けにくい防護柵とする。
【課題を解決するための手段】
【０００５】  直立型防護網１の中間位置高さより外側に向かって地面の方に下がっていく傾斜支柱４と、傾斜支柱４を補強する補強杭６を設けこれに傾斜網を張ることにより、直立型防護網１と傾斜型防護網２の二つが緊結、固定、一体化された二重式防護柵３とする。【０００６】  イノシシ、鹿等は足を束縛されることを極度に嫌う性質があるので、傾斜型防護網２は十分な強度とイノシシ、鹿の足の太腿が填まる位の網目を備えたものとし、これを地面より浮かせて設置することで動物の足を効果的に束縛し、侵入意欲を失わせる構造とする。（図１〜３参照）【０００７】  イノシシ、鹿等は防護柵に体当たり、くぐり抜け、噛み付き、跳び越え等の手段を用いて侵入を図ってくるので、これらの対策として傾斜型防護網２は動物が近づく手前の所では地上高２０〜３０ｃｍ程度の直立型、傾斜の奥の方では８０〜１００ｃｍくらいの高さに傾斜をつけて設置し、網の下端部は傾斜支柱４、補強杭６に緊結する。
【考案の効果】
【０００８】  イノシシ、鹿等は足の束縛を極度に嫌うため、網を浮かせた傾斜型防護網２に足を踏み入れただけで不安や恐怖を感じてすぐ引き下がる。また手前で低く奥に行くほど高くなる傾斜型防護網２は体当たりを受け流し、くぐり抜けの隙間をを与えない。さらに直立型防護網１と傾斜型防護網２を一体化した二重式防護柵３は高さも幅も強度もあるので跳び越えも防ぐ構造の防護柵である。
【図面の簡単な説明】
【０００９】
【図１】  本考案の標準的な設置例を示す図である。
【図２】  二重式防護柵の俯瞰図である。
【図３】  二重式防護柵の入り口の図である。
【実施例】
【００１０】  以下、添付図面の実施例について具体的に説明する。【００１１】  まず、二重式防護柵３の内側の柵である直立型防護網１を設置する。
直立型防護網１は体当たりや噛み付きによる攻撃は受けないが、うさぎ等の小動物の侵入には対応しなければならないので網目の大きさは小さなものを用いる。（図１〜３参照）
また網の幅を決めるときには必要な高さに網を張ったうえに、さらに５０ｃｍ程度の余裕が必要である。網を張った後、裾のほうにできた余裕の部分には土や石等の重石をかけて小動物のくぐり抜けを防ぐ必要がある。但しすべての網の裾を土砂で盛り上げてしまうと雨水のはける場所がないので、大きな石等を使って、水はけを良くするよう配慮する。（図１）【００１２】  二重式防護柵３の外側になる傾斜型防護網２は本考案の要であり、材料の強度も必要である。材料は強度があり弾力もある樹脂系繊維を選び、網の糸の径は３〜５ｍｍ程度とする。網目の大きさは対象とする動物により選択の幅があるが、概ね動物の太腿が填まる程度の８０〜１２０ｍｍ方形程度とする。
網の必要な長さは網の設置範囲により決まってくるが、網の幅については余裕の幅がある方が動物が嫌がる効果があるのでそれを考慮して２．０ｍ程度の幅のものを使用する。
傾斜型防護網２を支える傾斜支柱４の材料は強度と耐久性を考えて５０ｍｍ径位の金属製の材料を使用する。傾斜支柱４の下端を固定する補強杭６も同じ材料とする。
傾斜支柱４の上端を固定、緊結した直立支柱５の中段の高さに、横桟８をぐるりと設置し、これに傾斜型防護網２の上端に通した傾斜網保持ロープ９を適当な間隔で固定してゆき、これをもって傾斜網上端部の支えとする。（図１〜２参照）
傾斜支柱４の下端の、補強杭６の上部と下部（地面すれすれの所）の部分でもそれぞれ網を補強杭６に緊結し、全体として傾斜網は少し弛んではいるが、しっかりと固定された状態に設置する。（図１）【００１３】  直立型防護網の端１１は地中への打ち込みでなく、適当な強度を備えあまり重くない移動式の支柱１２に固定し、これを出入りの都度移動させて開閉する。移動が手軽にできるようにする為、固定式の柱の方に簡易式の差込管１３をつけておく。
傾斜型防護網２の端は動物の力が直接かかる場所となるので、重なり部分を十分に（３〜４ｍ位）確保したうえで移動開閉式とする。閉めておくときは、重なり部分の網の上端のロープをを直立支柱５と斜め支柱４の緊結部の上の位置に固定する。
また、出入り口部分の網の下端には固定する支柱等が無いので、出入り口の幅よりも少し長い、金属の遮断棒１４を網の目を縫うように通したうえで、その両端は出入り口両側の斜め支柱４と補強杭６の交差する股下１５に通して動物のくぐり抜けを防止する。（図３）
【符号の説明】
【００１４】１    直立型防護網
２    傾斜型防護網
３    二重式防護柵
４    傾斜支柱
５    直立支柱
６    補強杭
７    土、石の重石
８    横桟
９    傾斜網保持ロープ
１０  傾斜網と支柱の緊結部
１１  直立型防護網の出入り口部
１２  直立型防護網の出入り口部移動式支柱
１３  上記移動式支柱の簡易差込管
１４  傾斜網出入り口遮断棒
１５  上記出入り口遮断捧の固定法
【図１】
0003165867.tif 000003
【図２】
0003165867.tif 000004
【図３】
0003165867.tif 000005